(57)【要約】  触知性皮膚特性を客観的に測定するための音響放射システム及び同システムを使用する方法を提供する。本システムは、音響放射信号を皮膚から発生させるための手段と、該放射信号を回収し、格納し、表示するための手段と、該放射信号を該皮膚特性と相関させるための手段と、を含む。本システムは、美容スキンケア及び／又はクレンジング製品の有効性を評価するための臨床用具として使用される。好ましくない皮膚特性の発生を減少させるための化粧用組成物及び該組成物に関連する音響放射システムを含む、化粧品選択システムもまた提供する。音響放射システムを用いた触知性皮膚特性を評価するための方法、ならびに、前記組成物がモニタリングされる部分に塗布される間の時間の経過につれて生じる好ましくない皮膚特性の兆候に対する対策の進捗を評価する方法もまた提供する。【特許請求の範囲】
【請求項１】
（Ａ）皮膚からの音響放射信号を生じさせるための手段、
（Ｂ）前記放射信号を回収し、格納し、表示するための手段、
（Ｃ）前記放射信号を前記皮膚の特性と相関させるための手段、を含む、美容スキンケア及び／又はクレンジング製品の有効性を評価するための臨床用具として使用するための、音響放射測定システム。
【請求項２】
前記放射信号を表示するための前記手段が、インターネット、カメラ、携帯端末、携帯電話、カメラ付き携帯電話及び、テレビ、雑誌、パンフレット、ポスター、チラシ及びビラからなる群から選択される広告用材料及び宣伝用資料からなる群から選択される媒体を含む、請求項１に記載の音響放射測定システム。
【請求項３】
前記皮膚の前記特性が、毛穴、皺、光老化、肌のきめ又はそれらの組み合わせである、請求項１又は請求項２に記載の音響放射測定システム。
【請求項４】
１又は複数の美容スキンケア及び／又はクレンジング製品の有効性を評価するための、請求項１から３に記載の音響放射測定システムの使用。
【請求項５】
使用が、消費者、美容師、プロのアドバイザー又はそれらの組み合わせによるものである、請求項４に記載の使用。
【請求項６】
（Ａ）請求項１から３のいずれか１項に記載のシステムを提供し、
（Ｂ）ヒト皮膚の部分に対する音響放射データを生成させ、
（Ｃ）個人の集団に対する皮膚特性の分布を定義するために該データを分析する、
個人の集団に対してヒトの皮膚の部分における皮膚特性の分布を定義する方法。
【請求項７】
（Ａ）請求項６に記載の方法により個人の集団に対するヒト皮膚の部分での皮膚特性の分布を定義すること、
（Ｂ）少なくとも１人に対してヒト皮膚の部分に対する音響放射データを生成させること、
（Ｃ）前記個人の集団に対する皮膚特性の分布に関して、少なくとも１人の皮膚特性を評価するために該データを分析すること、
を含む、個人の集団に対する皮膚特性の分布に関して、少なくとも１人のヒト皮膚の部分における皮膚特性を評価する方法。
【請求項８】
（ｉ）少なくとも１つの皮膚特性の発生を減少させるための少なくとも１つの化粧用組成物、および
（ｉｉ）該化粧用組成物に関連する音響放射システム、
を含み、該音響放射システムが、皮膚特性の現在の発生又は該化粧用組成物の使用による前記皮膚特性の発生減少の進捗状況を評価するための手段を有する、化粧品選択及び／又は特別注文システム。
【請求項９】
化粧用組成物が容器内にあり、音響放射システム及び該化粧用組成物を保持する該容器が、紙箱内に保持される、請求項８に記載の化粧品選択及び／又は特別注文システム。
【請求項１０】
前記皮膚特性が、毛穴、皺、光老化又は肌のきめからなる群から選択される、請求項８又は請求項９に記載の化粧品選択及び／又は特別注文システム。
【請求項１１】
前記音響放射システムが、前記皮膚特性の少なくとも２つの異なる状態の兆候に対する媒体を含み、それにより消費者又は臨床家が化粧品の塗布及び／又は洗い流しに起因する前記皮膚特性の状態を識別できるようになる、請求項８から１０のいずれか１項に記載の化粧品選択及び／又は特別注文システム。
【請求項１２】
媒体が、インターネット、カメラ、携帯端末、携帯電話及び、テレビ、雑誌、パンフレット、ポスター、チラシ及びビラからなる群から選択される広告用材料及び宣伝用資料からなる群から選択される、請求項１１に記載の化粧品選択及び／又は特別注文システム。
【請求項１３】
前記皮膚特性の前記識別された状態に基づいて、製品使用計画を消費者が順守することを促進するための、請求項１１又は請求項１２に記載の化粧品選択及び／又は特別注文システムの使用。
【請求項１４】
前記皮膚特性の前記識別された状態に基づいて、化粧品選択を促進するための、請求項１１又は請求項１２に記載の化粧品選択及び／又は特別注文システムの使用。
【請求項１５】
（Ａ）請求項８から請求項１２のいずれか１項に記載の化粧品選択及び／又は特別注文システムを提供すること、
（Ｂ）該化粧品を皮膚の部分に塗布すること、
（Ｃ）皮膚の該部分に対する音響放射データを生成させること、
（Ｄ）前記皮膚特性を評価するために該データを解析すること、および
（Ｅ）将来において段階（Ｃ）及び（Ｄ）を繰り返し、次いで該皮膚の第１回目及び第２回目の評価から得られたデータを比較すること、を含む、化粧品の有効性を評価するための方法。
【請求項１６】
前記評価が、消費者による自己評価であるか、又は臨床家、美容師もしくは店員による評価である、請求項１５に記載の方法。
【発明の詳細な説明】
【技術分野】
【０００１】
本発明は、音響放射を用いて皮膚の触感を特徴づけるための方法及びシステム、ならびに、有効性を証明するための、及び／又は化粧品選択を促進するための、本システムを使用する方法に関する。
【背景技術】
【０００２】
あらゆる化粧品又は方法の究極目標は、消費者を満足させることである。リーブオンタイプ及び／又は洗い流しタイプ製品のいずれであれ、多くの化粧品が、様々な皮膚への有益性を謳っている。熟練した評価者が診断装置を使用できるよう、又は違いを感知するように訓練され得る一方、消費者は通常、主張されている有益性が実際に与えられるか否か、又は、有益性が送達される量的な範囲を容易に識別することはできない。皮膚状態は通常、感覚により、特に視覚及び触感を介して、主観的に評価される。重要な特性を表わす物理的パラメーターの客観的測定方法があれば、官能特性の特徴を調べる際に有用なツールがもたらされるであろう。
【０００３】
皮膚診断技術の中で、音響放射は、皮膚の特徴を調べるために一般に使用されていない。音響放射は、機械システム及び楽器の分野で一般に使用されている。これはまた、ファブリック知覚（ｆａｂｒｉｃ  ｓｅｎｓｏｒｙ）の分野でも使用されているが、これは、消費者にとって、繊維の音が知覚経験の一部だからである。
【０００４】
Ｔａｎａｋａ，Ｍ．ら、「Ｔｈｅ  ‘Ｈａｐｔｉｃ  Ｆｉｎｇｅｒ’−ａ  ｎｅｗ  ｄｅｖｉｃｅ  ｆｏｒ  ｍｏｎｉｔｏｒｉｎｇ  ｓｋｉｎ  ｃｏｎｄｉｔｉｏｎ，”  Ｓｋｉｎ  Ｒｅｓｅａｒｃｈ  ａｎｄ  Ｔｅｃｈｎｏｌｏｇｙ，９：１３１−１３６（２００３）は、物質（ステンレス鋼板、スポンジゴム、ピエゾポリマーフィルム、アセテートフィルム及びガーゼ）のいくつかの層で形成された、指を模倣する装置を記載している。この人工指で皮膚を擦り、その人工指が柔軟性のあるピエゾポリマーフィルムにおいて生じた機械的ストレスを記録する。
【０００５】
Ｆｌａｍｅｎｔ，Ｆら、“Ｆｉｎｇｅｒ  ｐｅｒｃｅｐｔｉｏｎ  ｍｅｔｒｏｌｏｇｙ．Ｃｏｒｒｅｌａｔｉｏｎ  ｂｅｔｗｅｅｎ  ｆｒｉｃｔｉｏｎ  ｆｏｒｃｅ  ａｎｄ  ａｃｏｕｓｔｉｃ  ｅｍｉｓｓｉｏｎ，”２００３年  Ｈａｍｂｕｒｇでの皮膚学会における発表の要旨は、被験者の指を電動式のサポートにより保持し、そのサポートが物質の表面でその指を動かし、摩擦力及び音響放射信号を検出するという方法を述べている。
【０００６】
ＷＯ０２／２４０７１  Ａ２は、毛髪試料における摩擦を測定することにより毛髪状態を評価するための方法、装置及びシステムに関する。「櫛」と同様の、摩擦部材がその櫛と毛髪との間の接触において摩擦を生じさせる。櫛が動いている間にその力により生じる摩擦音が摩擦音センサーにより回収される。
【発明の開示】
【発明が解決しようとする課題】
【０００７】
ヒトの皮膚の触知性特性の客観的測定のためのツール及び方法が今も必要とされている。
【課題を解決するための手段】
【０００８】
ここに、出願者らは、音響放射システム及び皮膚への製品の塗布前、塗布中、塗布後及び／又は皮膚からの製品の洗い流し前、洗い流し中、洗い流し後の、皮膚状態の客観的評価のための方法を開発した。本音響放射測定システムは、
（Ａ）皮膚からの音響放射信号を生じさせるための手段と、
（Ｂ）該放射信号を回収し、格納し、表示するための手段と、
（Ｃ）該放射信号を該皮膚の特性と相関させるための手段と、を含有する。
【０００９】
本発明のシステム及び方法は：
（１）美容スキンケア及び／又はクレンジング製品の皮膚における有効性及び／又は触感を評価するための、つまり臨床的展望及び／又は消費者の観点からの、臨床用具として；
（２）消費者に対して重要であり理想的な変化の度合いを調べるための、つまり、特定の集団における皮膚特性の分布を定義するための、及び／又は技術目標及び消費者目標を設定するための、消費者コミュニケーションツールとして；又は、
（３）消費者がトリートメント前後の皮膚状態の変化を簡単な方法で評価することができ、それにより製品スクリーニング及び選択、製品のオーダーメード及び／又は製品使用計画の順守が促進される、店頭での診断装置として、使用することができる。
【００１０】
このシステム及び方法は、消費者が直接使用することができるが、好ましくは、美容師、臨床家、店員又は他のプロのアドバイザーにより適用される。
【００１１】
非常に感度の高い本発明の方法は、パーソナルケア製品の使用中の感覚的性能を評価し、特異的な官能特性又は官能プロファイルを抽出するために、接触中の音響信号を検出する。このシステム及び方法は、洗浄剤の保湿性、洗い流しやすさ、及び広範囲の官能的有益性（つまり、滑らかさ、すべすべ感）など、スキンケア製品からの様々な有益性に関する主張を支持するために使用することができる。
【００１２】
本発明の別の態様において、官能特性又はプロファイルは、消費者の共通言語に結びつけることができ、及び／又は消費者に伝えることができる。通信媒体には、インターネット、カメラ、携帯端末（例えば、ｐａｌｍ  ｐｉｌｏｔＴＭ）、携帯電話、カメラ付き携帯電話、テレビ、雑誌、パンフレット、ポスター、チラシ及びビラを含む広告用材料及び宣伝用資料及び／又は水不溶性被印刷物が含まれ得る。
【００１３】
化粧品選択及び／又は特別注文システムは、（ｉ）少なくとも１つの皮膚特性の発生を減少させるための少なくとも１つの化粧用組成物と、
（ｉｉ）該化粧用組成物に関連する音響放射システムと、
を含んで提供され、該音響放射システムは、該皮膚特性の現在の発生又は該化粧用組成物の使用に伴う皮膚特性の発生の減少における進捗状況を評価するための手段を有する。
【００１４】
さらに、皮膚の前記部分における特性及び特性の発生を減少させるための化粧品の有効性を評価するための、
（Ａ）音響放射システムを提供することと、
（Ｂ）該化粧品を皮膚の部分に塗布することと、
（Ｃ）皮膚の該部分に対する音響放射データを生成させることと、
（Ｄ）前記皮膚特性を評価するために該データを解析することと、
（Ｅ）将来において段階（Ｃ）及び（Ｄ）を繰り返し、次いで該皮膚の第１回目及び第２回目の評価から得られたデータを比較することとを含む、方法が提供される。
【００１５】
これらに限定されるものではないが、以下の図面の検討から、本発明のさらなる目的、特徴及び有益性がより容易に明らかとなろう。
【発明を実施するための最良の形態】
【００１６】
今回、消費者に対して、皮膚及び皮膚への製品の塗布及び／又は皮膚からの洗い流しの客観的評価の必要性に合致するシステム及び方法を提供した。
【００１７】
本発明は、パーソナルケア製品の使用中の感覚的性能を評価し、特異的な官能特性又は官能プロファイルを抽出するための、接触中の音響信号を検出する非常に高感度の方法に基づき、それらは、消費者の共通言語に結びつけることができ、及び／又は消費者に伝えることができる。これは、洗浄剤の保湿性、洗い流しやすさ及び広範囲の官能的有益性（つまり、滑らかさ、すべすべ感）など、スキンケア製品からの様々な有益性に関する主張を支持するために使用することができる。
【００１８】
本発明のシステム及び方法は：
（１）臨床的展望及び消費者の観点両方からの、美容スキンケア及び／又はクレンジング製品の有効性を評価するための臨床用具として；
（２）消費者に対して重要であり理想的な変化の度合いを調べるための、つまり、特定の集団における皮膚特性の分布を定義するための、及び／又は技術及び消費者目標を設定するための、消費者へのコミュニケーションツールとして；又は、
（３）消費者がトリートメント前後の皮膚状態の変化を簡単な方法で評価することができ、それにより製品の有益性の主張を支持し、製品選択、製品のオーダーメード及び／又は製品使用計画の順守に影響を与える、店頭での診断装置として、使用することができる。
【００１９】
（音響放射システム）
図１を参照して、本発明による音響放射システム１０の概念図を示す。音響放射システム１０は、生体組織、皮膚組織又は手の表面などの基材（示さない。）により生じた音又は振動から信号を拾うための音響媒体において操作する探触子１２を含む。探触子１２は、信号処理及び増幅システム１４と連絡しており、データ収集システム１６に連結し、これが次に結果格納、操作及び出力システム１８に連結する。電源（示さない。）はまた、電力供給システム部品にも供給される。個々の部品それぞれは、市販されているか、又は特注であり得、部品１４、１６、１８のいずれも、例えば、アナログ信号がその形態で格納される場合、又は記録が直接テープレコーダーもしくはＣＤもしくはＤＶＤに行われる場合など、組み合わせるか削除することができる。
【００２０】
音響媒体
音響媒体は、気体又は液体であり得る。一般に、実際、音響媒体は、空気、水又は水溶液である。
【００２１】
音響探触子
システム１０は、少なくとも１つの音響センサー又は探触子１２を有する。探触子１２は、気体媒質ための少なくとも１つのマイクロフォン２０又は液体媒質のための少なくとも１つの水中聴音器２２を含み得る。マイクロフォン２０及び／又は水中聴音器２２は、個別に、互いに組み合わせて、及び／又は振動センサー又は加速度計２４と組み合わせて使用し得る。１又は複数の加速度計２４は、個別に、互いに組み合わせて、又は少なくとも１つのマイクロフォン２０及び／又は水中聴音器２２と組み合わせて使用し得る。
【００２２】
信号処理システム
信号処理システム１４は、探触子１２と通信し、マイクロフォン２０及び／又は水中聴音器２２により受け取られた音を増幅するために少なくとも１つの増幅器２６、２８から構成され得る。信号処理器３０は、加速度計２４から受け取られた信号を操作するために与えられる。
【００２３】
データ収集システム
１又は複数の増幅器２６、２８及び／又は加速度計２４のいずれかにより受け取られたデータは、データ収集システム１６に転送される。別の方法では、探触子１２から直接データ収集システムにデータを転送し得る。
【００２４】
結果格納、操作及び出力システム
データ収集システム１６からのデータを結果格納、操作及び出力システム１８に転送する。代替的な実施形態において、結果格納、操作及び出力システム１８は、探触子１２及び／又は信号処理システム１４から直接データを受け取り得る。
【００２５】
システム１８は、パーソナルコンピューター又は同様のデジタルデータ格納媒体、例えば携帯型装置（例えば、携帯端末（例えばＰａｌｍ  ＰｉｌｏｔＴＭ）、携帯電話）、磁気テープ、ＣＤ又はＤＶＤなどであり得る。この点において、様々な通信媒体において、データを図式的な形態で表し、印刷することができる。通信媒体には、インターネット、カメラ、携帯端末（例えばＰａｌｍ  ＰｉｌｏｔＴＭ）、携帯電話；カメラ付き携帯電話、テレビ、雑誌、パンフレット、ポスター、チラシ及びビラを含む広告用材料及び宣伝用資料；及び／又は水不溶性被印刷物が含まれ得る。さらに、消費者から定性的に受け取ったデータとしての皮膚状態と、音響放射システム１０から受け取ったデータとの間の相関は、結果格納、操作及び出力システム１８内で作られ、及び／又は結果格納、操作及び出力システム１８内に存在し得る。
【００２６】
システム１０及び方法は、保湿性、洗浄剤の洗い流しやすさ及び幅広い感覚的な有益性（つまり、滑らかさ、すべすべ感）などの、スキンケア製品からの様々な有益性に関する主張を支持するために使用することができる。
【００２７】
（音響放射法）
本発明方法は、人体のある部分の皮膚がその人体の別の部分の皮膚を滑った際の、基体（好ましくは皮膚）との接触（つまり皮膚と皮膚）から生じた音響信号を使用する。皮膚／皮膚接触における摩擦力は、皮膚／皮膚接触部分の近くに置かれた探触子１２により感知される振動パターンを生じ、結果格納、操作及び出力システム１８により記録される。有利に、探触子１２は、接触部分の近くでその接触を妨害せずに振動を検出することができるので、皮膚のある部分と別の部分との間の接触に影響を与えない。したがって、本発明に従い、音響信号は、皮膚／皮膚接触特性及び使用中の状態を正確に反映する。
【００２８】
音響放射は、手又は指で別の皮膚部分を穏やかに擦る間に記録される。通常は、前腕、手又は顔面において検出されるが、他の身体部分に対しても使用し得る。音響放射信号は、いくつかの種類の探触子１２により記録することができる。マイクロフォン２０又は水中聴音器２２は、皮膚／皮膚接触の近くに置くことができるが、皮膚には接触しない。これらの音響センサーに対して、空気又は水それぞれは、皮膚において生じる振動の媒体又は媒介物である。小型の又は小規模の振動センサー（つまり加速度計２４）は、接触部分の近くの皮膚に置くことができる。その場合、擦ることにより生じる振動は、皮膚組織により伝達される。音響センサーは、市販の装置又は特注の機器であり得る。音響放射信号は、増幅器２６、２８及び／又は信号処理器３０によりそれぞれ処理され、及び／又は増幅され、データ収集システム１６に送られる。次に、データ収集システム１６からのデータは、ＰＣ音源カード又は他の適切なデジタル化装置などの格納、操作及び出力システム１８に送られ、ここで、音響放射データは、保存され、表示され得る。様々な標準的信号解析法をこの信号に適用することができ、特別の方法を開発し得る。
【００２９】
通常の使用において、一定の様式で手で前腕を擦るか、又は２本の指で互いに擦る。音響放射は、擦る速度及び皮膚／皮膚接触の圧力に依存するので、対照の振動パターンを定義するために、所定の対象に対して何回か録音を行う。ある一定時間にわたり記録された信号の二乗平均平方根を使用して、擦るプロセスの一貫性を評価することができる。次に、製品適用中、又は製品適用後の断続的な間隔において、音響放射信号をモニタリングする。
【００３０】
信号解析
出願者らは、時間の関数としてモニタリングされる振動の振幅及び音響信号の振動数成分又は波動が、製品の使用に関連する皮膚／皮膚接触特性の変化に対して非常に敏感であることを見出した。その信号波は、特定の知覚特性と関連、又は相関し得る。例えば、これらの信号の解析により、皮膚洗浄剤の洗い流しやすさ及び「感じ」又は触感、洗浄剤使用後の触知性の感覚及び化粧クリーム塗布の結果の触知性の感覚の特徴を調べることができるようになる。音響信号波解析はまた、化粧品及び洗浄剤からの保湿剤の沈着を検出するためにも使用できる。
【００３１】
（化粧品システム）
音響放射システム１０に関連する化粧用組成物を含む、化粧品システムもまた、本発明により提供される。
【００３２】
本発明のある態様は、化粧用組成物が、典型的な音響グラフなどと、全体又は一部において音響放射システム１０とともに包装されている化粧品システムを提供する。様々な包装の仕方がある。音響グラフは、箱のパネル部分として組み込むことができ、残りの箱部分はその化粧用組成物を保護的に包囲する。その変形物において、そのグラフは、取り外し可能なように、穴の開いた、又は弱い作図線を介して、又は粘着性の結合部を介して、パッケージに連結され得る。別の実施形態において、そのパッケージの外部又は内部に、店頭に置かれた音響放射システム１０によりこの製品を試験するための消費者に対する説明書を付け得る。
【００３３】
化粧用組成物
顔面皮膚の毛穴、皺又はその他好ましくない顔面の特性の発生を減少させるためなどの化粧用組成物は、クリーム、ローション、化粧水、ペースト、スティック（例えば口紅）又はパウダーの形態であり得る。これらの化粧品は、通常、担体を含む。適切な担体には、水、皮膚軟化剤（エステル、炭化水素、シリコーン、ポリオール及びそれらの混合物）、乳化剤、増粘剤及びそれらの組み合わせが含まれる。殆どの場合、担体は、水中油型又は油中水型などの乳液である。担体の量は、約１重量％から約９９重量％の範囲であり得る。
【００３４】
毛穴の発生を減少させるための毛穴減少活性物質又は活性剤には、当業者にとって公知の毛穴減少活性剤の中でもとりわけ、アストリンゼン、湿潤剤、にきび及び皮脂抑制剤、落屑促進剤、角質溶解薬及びメーキャップが含まれ得る。
【００３５】
アストリンゼン
アストリンゼンの例には、これらに限定されないが、エタノール、マンサク（ｗｉｔｃｈ  ｈａｚｅｌ）、亜鉛及びアルミニウム塩及びポリフェノールが含まれる。
【００３６】
湿潤剤
湿潤剤には、当業者にとって公知の湿潤剤の中でもとりわけ、プロピレングリコール（Ｓｐｅｃｔｒｕｍから入手可能）、グリコール及びソルビトールが含まれる。湿潤剤は、皮膚、頭皮及び毛髪に対する優れた保湿剤として知られている。参照により本明細書に組み込まれる、米国特許第５，８５８，３４０号を参照のこと。
【００３７】
にきび及び皮脂抑制剤
抗にきび活性物質には、当業者にとって公知の抗にきび活性物質過酸化の中でもとりわけ、ベンゾイル及びサリチル酸が含まれる。皮脂抑制剤には、一般式Ａ：
Ｒ−Ｏ−Ｍ（Ａ）
（式中、Ｒは、少なくとも７個の炭素原子及び少なくとも２つの分枝を有する分枝アルキル又はアルケニル鎖であり、
Ｏは、酸素原子であり、
Ｍは、（−（ＣＨ２）ｐＯ）ｎ−（ＣＨ２）ｍＣＯ２Ｘ）（この式中、ｎは０又は１から７の間の整数であり、ｍは１から４の間の整数であり、ｐは２から４の間の整数であり、Ｘは、水素、メチル基、エチル基または陽イオンである。）である。）の化合物が含まれる。この陽イオンは、ナトリウム、リチウム、カリウム、カルシウム、銅、マグネシウム、マンガン、ストロンチウム、イオウ、亜鉛及びアミン陽イオンからなる群から選択される。好ましくは、Ｘは、水素又は陽イオンである。
【００３８】
メーキャップ
毛穴の発生を減少させるのに有用なメーキャップの例には、当業者にとって公知のメーキャップ製品の中でもとりわけ、ファンデーション、保湿剤、フォーマー（ｆｏａｍｅｒｓ）及びコンシーラーが含まれる。
【００３９】
老化防止活性物質には、レチノイド、セラミド、α又はβ−ヒドロキシカルボン酸、フラボノイド、ビタミン、サンスクリーン、抗酸化物質、保存料及びそれらの混合物が含まれ得る。
【００４０】
代表的なレチノイドには、レチノール、レチノイン酸及びレチノールエステルが含まれる。後者には、パルミチン酸レチノール、リノール酸レチノール、プロピオン酸レチノール、酢酸レチノール及びサリチル酸レチノールが含まれる。
【００４１】
α−ヒドロキシ酸には、グリコール酸、乳酸、クエン酸、グルコノラクトン、グルカロラクトン、酒石酸、リンゴ酸及びそれらの混合物の遊離酸、ラクトン及び塩の形態が含まれる。β−ヒドロキシカルボン酸は、サリチル酸ならびにそのエステル（例えばサリチル酸トリデシル）及びアンモニウム、アルカノールアンモニウム及びアルカリ金属塩を含む塩が挙げられる。
【００４２】
セラミドには、セラミド１、セラミド２、セラミド３、セラミド３ａ、セラミド３ｂ、セラミド４、セラミド５及びセラミド６、ならびに擬似ラミド、フィトスフィンゴシン及びテトラアセチルフィトスフィンゴシンが含まれる。
【００４３】
その他の皮膚に有益な物質が任意の成分として含まれ得る。ビタミンには、アスコルビン酸ならびにその水溶性及び水不溶性誘導体が含まれ得る。例としては、テトライソパルミチン酸アスコルビル、リン酸アスコルビルマグネシウム及びアスコルビルグルコシドがある。その他のビタミンには、ビタミンＢ３（ナイアシン、ナイアシンアミド及びパンテノール）、ビオチン、葉酸、トコフェロール及びそのエステル（例えば、イソパルミチン酸トコフェロール、酢酸トコフェロール）、ビタミンＤ及びそれらの組み合わせが含まれる。
【００４４】
抗酸化物質には、ＢＨＴ（ブチル化ヒドロキシトルエン）、ＢＨＡ（ブチル化ヒドロキシアニソール）、ＥＤＴＡ２ナトリウム（Ｃｉｂａより入手可能）、クエン酸ナトリウム、ヒドロキノン、フェルラ酸及びそれらのエステル、緑茶抽出物、リポ酸、Ｎ−アセチルシステイン、レスベラトロル及びそれらの組み合わせが含まれる。
【００４５】
毛穴もしくは皺減少又は他の活性物質の量は、０．００００００１重量％から３０重量％、好ましくは、０．０００１重量％から１５重量％、より好ましくは０．１重量％から５重量％の範囲であり得る。
【００４６】
（使用方法）
消費者が直接本システム及び方法を使用することができるが、美容師又は他のプロのアドバイザーにより適用されることが好ましい。
【００４７】
特に、本システムは、トリートメント前後の顔面皮膚の状態を調べるために、又は食物、活動性、月経周期の影響などの、様々な因子に関連する顔面特性の変化を追跡するために、使用され得る。適切な化粧品の選択において、トリートメント前の音響放射システム測定を使用し得る。例えば、本発明の音響放射システム１０及び方法により測定された個人の皮膚状態に応じて、異なる製品処方を推奨し得る。音響測定は、本発明の範囲内のスキンケア及び／又はクレンジング製品と関連する様々な媒体において示され得る。
【００４８】
音響放射システム１０及び方法を用いた顔面特性のベースライン解析後に、特定の顔面特性に対して選択した化粧品を用いてトリートメントを開始する。その製品が特定の顔面特性の兆候を処置できるのに十分な時間にわたり、トリートメントを続ける。
【００４９】
４週間などのトリートメント期間後、別の音響測定を行う。その後、６、８、１２、１６及び／又は２０週に試験を行い得る。時間間隔及び数は、より長く、又はより短くすることができる。その化粧品が適切に機能した場合、音響評価において、好ましくない顔面特性が少なくなる、及び／又は小さくなる。次に、６週又は８週の間隔で、又はあらゆるさらなる時間間隔で、この手段を繰り返すことができる。
【００５０】
インターネット、ウェブカメラ、携帯端末（例えばＰａｌｍ  ＰｉｌｏｔＴＭ）、携帯電話及び、画像的、数量的及び／又は質的にその結果を表示することができるその他の媒体の家庭内外での使用を含む、測定結果を表示するための様々な媒体と組み合わせて、音響放射システム１０及び方法を使用し得る。販売場所で、又は店舗陳列において、このような結果を具体化する展示を消費者に与え得る。
【００５１】
各画像と数字を関連付けた、客観的な臨床評価尺度を開発し得る。
【００５２】
「含有する（ｃｏｍｐｒｉｓｉｎｇ）」という用語は、何らかのその後に定められる要素に限定されるものではないが、むしろ大小の機能的に重要な非限定的要素を包含するものとする。言い換えると、記載されている段階、要素又は選択肢は、網羅的である必要はない。「含む（ｉｎｃｌｕｄｉｎｇ）」又は「有する（ｈａｖｉｎｇ）」という単語が使用される場合はいつも、これらの用語は、上記で定義した「含有する（ｃｏｍｐｒｉｓｉｎｇ）」と同等であるものとする。
【００５３】
部（ｐａｒｔｓ）、パーセンテージ及び比は全て、本明細書において、及び添付の請求項において、別段の説明がなければ、重量によるものを意味する。
【００５４】
以下に、本発明のシステム及び方法の適用のいくつかの例を述べる。次のものは、限定することを目的とするものではなく、本発明を遂行する最良の形態を説明するための、本発明の原則の一例である。
【実施例１】
【００５５】
この実施例では、例えば、ぬるぬる感、きしみ感及びぬるぬる感／きしみ感の転換評価など、皮膚に塗布された界面活性剤の触知特性を調べるために、音響放射測定を使用する。
【００５６】
界面活性剤溶液のきしみ性及びその転換特性を試験するために、図１に概説した音響放射システム１０を使用した。１個の探触子１２、つまり水中聴音器２２（Ｂｒｕｅｌ  ＆  Ｋｊａｅｒ，Ａｔｌａｎｔａ，ＧＡ，８１０３  水中聴音器）を、水溶液中で使用される界面活性剤の特性試験のために容器の内壁に取り付けた（示さない）。この容器の内壁は、この容器の壁からの音波の反射を減少させるために、ある一定の粗さに機械加工し得る。Ｂｒｕｅｌ  ＆  Ｋｊａｅ  Ｃｏｎｄｉｔｉｏｎｅｒ  増幅器２８を介して、水中聴音器２２からのチャージ信号を電圧信号に処理した。界面活性剤溶液内で、清潔な指を互い擦り合わせ、その間に、データ収集システム１６（Ｓｙｎｔｒｉｌｌｉｕｍ  Ｓｏｆｔｗａｒｅ  Ｃｏｒｐｏｒａｔｉｏｎ，Ｐｈｏｅｎｉｘ，ＡＺからのＣｏｏｌＥｄｉｔ  ２０００）が、格納、操作及び出力システム１８、つまりコンピューターファイルへと、音波をデジタル化した。
【００５７】
図２は、図１のシステムを使用して生じさせた、洗い流しタイプ製品で使用される一般的な界面活性剤、ＰＥＧラウリルエーテル硫酸ナトリウム（ＳＬＥＳ）／水の溶液の、様々な濃度での音のプロファイルを示す。これらの図から観察されたことは次の通りである：
２Ａ  １％  ＳＬＥＳ／水  溶液は、非常に低い音響レベルを常に示し、このことから、ぬるぬる感又は触感が示唆される；
２Ｂ  ０．２％  ＳＬＥＳ／水  溶液は、指で擦っている時間が経過するにつれて、高から低の音響レベルを示し、このことから、この濃度におけるきしみ感からぬるぬる感への転換が示唆される；
２Ｃ  ０．０１％  ＳＬＥＳ／水  溶液は、常に非常に高い音響レベルを示し、このことから、この濃度では時間が経過してもきしみ感がなくならないことが示唆される。
【００５８】
これらの溶液間の違いは、その結果から容易に識別される。高濃度に対して（例えば、１％  ＳＬＥＳ／水  溶液、図２Ａ）、ＳＬＥＳフィルムは、皮膚表面全体を覆い、それらの接触に対してこの２つの皮膚表面を滑らかにする。指を擦ることにより顕著な音は生じ得ない（音圧が非常に低い）。消費者は、溶液の粘液性を感知する。
【００５９】
図２Ｂを参照して、ＳＬＥＳ濃度が低い場合（例えば０．２％）、音のプロファイルは、擦り合わせる時間に強く依存する。擦り始めにおいては、音響レベルは非常に高く、これはきしみ感に相応する。擦り続けるにつれ、音響レベルは徐々に低下し、消費者もきしみ感の低下を感知する。溶液がぬるぬる感があるとして感知される場合、音はほとんど発せられない。
【００６０】
ある一定のＳＬＥＳ濃度以下で（図２Ｃ）、消費者は擦り続ける時間にかかわらず、溶液のきしみ感のみを感じ得る。
【００６１】
この結果は、消費者の触感と音響放射信号との間の強い関連を示す。様々な界面活性剤システムは、様々な音響プロファイルを与え、それによりそれらの界面活性剤システムの様々なきしみ／ぬるぬる感を示す。界面活性剤が生み出す触感について界面活性剤システムを素早く簡単に評価するために、本音響方法を使用することができる。
【実施例２】
【００６２】
この実施例は、水中聴音器２２及び加速度計２４を同時に使用する、洗い流しタイプ製品のすすぎプロファイルの評価を示す。
【００６３】
図１を参照して、この実施例において、水中聴音器２２及び加速度計２４を同時に使用して、洗い流しタイプ（クレンジング）製品の評価のための代表的な設定を使用した。洗い流しやすさ及び皮膚洗浄剤の「感覚」の特徴を調べるために、皮膚の部分をすすぐための水（示さない。）を満たしたタンクに浸した水中聴音器２２により音響放射信号を検出することができる。２個の加速度計２４を被験者の皮膚に取り付けた（通常振動のためのＰＣＢ  ３５２Ａ２４加速度計及び接線方向の振動及び通常振動のためのＰＣＢ  ３５６Ａ１５  三軸加速度計）。洗浄剤の既知量を湿った前腕に人の手で塗布した。次に、ある一定の温度のある一定の硬度の水が満たされたリンスタンクにその腕を浸した。もう一方の手で製品とともにその腕を擦り、同時に、擦る音を水中聴音器２２により捕らえ、皮膚振動を加速度計２４により同時に検出した。
【００６４】
水中聴音器２２からの音響放射信号を実施例１のように処理し、データ収集システム１６により記録した。加速度計２４からの信号をＰＣＢ４４２Ｂ１０４  信号処理器３０（ＰＣＢ  Ｐｉｅｚｏｔｒｏｎｉｃｓ，Ｉｎｃ．，Ｄｅｐｅｗ，ＮＹ）により処理した。
【００６５】
データ収集システム１６からのデータを、格納、操作及び出力システム１８、つまり、サウンドカードデジタル化システム付きのＣｏｏｌ  Ｅｄｉｔ  ２０００に送った。さらに、プロフェッショナル音響放射システム（Ｂｒｕｅｌ  ＆  Ｋｊａｅｒ  Ｐｕｌｓｅ  ６．１及び７．０、Ａｔｌａｎｔａ，ＧＡ）を使用した。
【００６６】
それにより得られる軟水（４０ＰＰＭ、ＣＡ＋＋／ＭＧ＋＋＝３／１）中の洗い流しタイプ製品（Ｎ−ラウロイル  Ｌ−グルタミン酸ＴＥＡ（ＴＥＡ−Ｎ−Ｌａｕｒｏｙｌ  Ｌ−Ｇｌｕｔａｍａｔｅ）（ＬＴ−１２））のすすぎプロファイルを図３で示す。この図は、すすぎ中に音響放射信号の振幅がどのように顕著に変化するかを説明する。最初に、その界面活性剤の潤滑効果のために、振幅は非常に顕著に減少している。ぬるぬる感領域は音がないか、又は非常に低い音響レベルであるが、一方、きしみ感領域は、より強い音響レベルとなる。すすぎが進行するにつれ、非常に大きい振幅の「きしみ感」の音が生じる。振幅の大きいきしみ感の音が生じる前の時間を測定することにより、ウェイブファイル（ｗａｖｅ  ｆｉｌｅ）で洗浄剤のすすぎの速度を評価することができる。洗浄剤のきしみ性は、きしみ音の平均振幅を測定することにより評価することができる。この特定の場合において、最初の３回の擦りからの音響放射信号はなく、この間消費者は、洗い流しタイプ製品のぬるぬる感を感知する。４回目の擦りから１０回目の擦りまで、音響放射信号は、擦りの各回で異なり、このことから、すすぎ中にきしみ性が変化することが示される。５回目及び６回目の擦りにおいて、より均一な音のプロファイルは、滑らか感と関連する。最後の数回の擦りにおいて、皮膚表面の固着／滑り（ｓｔｉｃｋ／ｓｌｉｐ）に相関する音響放射スパイクの間の間隔が大きくなる。消費者は通常、それらがこのような擦りに到達した際、きれいにすすぎ落とされたことを感知する。
【００６７】
全体の音響プロファイルから、洗い流しタイプ製品のすすぎ中の非常に多くの情報が示される。きしみ性の違いは、音のプロファイルからも観察することができ、さらに、様々なデータ解析法（例えば、高速フーリエ変換（ＦＦＴ）は、きしみ性に関連する固着／滑り（ｓｔｉｃｋ／ｓｌｉｐ）の頻度を明らかにすることができる。）により抽出することができる。
【００６８】
さらに、観察された音響放射プロファイルは、すすぎ中の消費者の感知に非常に良く対応する。
【００６９】
図４は、この実施例で述べたような水中聴音器２２及び加速度計２４の組み合わせを使用した音響法による、異なる２種類の製品に対する、軟水でのすすぎにより得られる２つの相異なるすすぎプロファイルを示す。製品Ａは、花王のホワイトＴＭブランドの固形石鹸であり、日本の市場における主要な固形石鹸である。製品Ｂは、Ｎｉｐｐｏｎ  Ｌｅｖｅｒ，ＪａｐａｎからのＤＯＶＥＴＭブランドの固形石鹸である。
【００７０】
図４Ａ及び４Ｃは、２種類の洗い流しタイプ製品の水中聴音器２２からの信号である。製品Ａは、すすぎが素早く、非常にきしみ感を感じる。図４Ａに示されるように、音圧が低い、ぬるぬる感領域が約５秒間続く。きしみ感領域において、音圧は、１００Ｐａよりも高く、細かい解析から、非常に強い固着／滑り（ｓｔｉｃｋ／ｓｌｉｐ）信号が示される。製品Ｂに関しては、ぬるぬる感領域が９秒間続き、きしみ感領域において、音圧は、約６０Ｐａのピーク値に到達する。しかし、信号の殆どは４５Ｐａ未満である。
【００７１】
これらの製品間のより明確な違いは、図４Ｂ及び４Ｄに示されるように、皮膚振動を比較することにより観察することができる。皮膚表面の通常（皮膚表面に対する）振動を示す。図４Ｂで示される加速度は、６ｇに達し、振動数は、きしみ感領域の初期は中程度であり、後に非常に小さくなり、このことから、強い固着／滑り（ｓｔｉｃｋ／ｓｌｉｐ）が示唆される。日本の消費者は通常、これらの擦りに到達した際にきれいなすすぎを感知するが、これは日本の市場にとって好まれる触感である。しかし、アメリカの消費者は、この触感を不快なものとして感知する。図４Ｄにおいて、加速度は非常により低く、きしみ感領域における振動数はより高く、これは、感知される滑らか感と相関関係があった。
【００７２】
水中聴音器２２及び加速度計２４の組み合わせは、すすぎ中の消費者の知覚を明らかにし、洗い流しタイプ製品に対する消費者試験を行うために役立つツールとして使用することができる。
【実施例３】
【００７３】
この実施例は、スキンケアのリーブオンタイプ製品の知覚特性の評価を示す。
【００７４】
図１を参照して、リーブオンタイプ及び洗い流しタイプ製品の音響測定及び知覚特性評価ためのシステム１０には、被験者の前腕に取り付けられた２個の加速度計２４（ＰＣＢ  ３５２Ａ２４、ＰＣＢ  Ｐｉｅｚｏｔｒｏｎｉｃｓ，ＩＮＣ．，Ｄｅｐｅｗ，ＮＹ）が含まれる。皮膚表面の通常振動を探知するために、１個の加速度計２４を掌付近に取り付け、もう一方を肘付近に取り付けた。２個のマイクロフォン２０（１／２”型  ４１８９  成極済み（ｐｒｅ−ｐｏｌａｒｉｚｅｄ）自由音場マイクロフォン、Ｂｒｕｅｌ  ＆  Ｋｊａｅｒ，Ａｔｌａｎｔａ，ＧＡ）を、加速度計２４を取り付けた２つの部位の上に置いた。皮膚振動を生じさせるために、被験者は、他方の手（指）を使用して、肘から開始して前腕を擦り、掌方向に擦り続けた。あるいは、ローディング、擦り速度を調整し、同時に摩擦を測定するために、人間の指を使用する代わりに、ローディングセル及び摩擦センサーを備える電動の「手」を使用して擦ることもできる。
【００７５】
音響放射信号は全て、Ｐｕｌｓｅ  データ収集システム１６（Ｂｒｕｅｌ  ＆  Ｋｊａｅｒ，Ａｔｌａｎｔａ，ＧＡ）により回収し、格納、操作及び出力システム１８による回収の後で解析した。
【００７６】
次の考察において、発明者らは、肘のより近くにある加速度計２４からの信号にのみ言及する。
【００７７】
図５は、被験者の前腕へのスキンケアのリーブオンタイプ製品塗布前後の、通常加速度の結果を示す。図５Ａを参照して、何らかのスキンケア製品塗布前に、ある一定の振幅のある一定の振動数帯で皮膚が振動する。Ｈｉｎｄｕｓｔａｎ  Ｌｅｖｅｒ  Ｌｔｄから入手可能な、インド市場の嗜好のために特別に処方されたドライでマットな製品である、Ｆａｉｒ  ＆  ＬｏｖｅｌｙＴＭブランドのローションを、前腕に塗布した。このスキンケア製品の塗布後、製品が乾燥するにつれ、皮膚振動が変化したことが観察された。図５Ｂを参照して、この製品がまだ湿っている間、加速度計２４からの信号は、振動数がより小さい、非常に小さい振幅の振動を示した。図５ＣからＥを参照して、この製品の乾燥中、強い振動ピークが観察された。この強い振動ピークは、指の滑り中に貼り付いていた２つの伸張した皮膚表面が急に離れたことと関連した。その段階において、被験者は、その製品の強い滑りの重さを感じるが、これは、インドの消費者及び暑い気候のその他の消費者に好まれる。図５Ｆは、そのスキンケア製品が完全に乾いた後の皮膚表面の加速度を示す。
【００７８】
図６は、様々なリーブオンタイプ製品が様々な感触を生み出すことを示す。加速度計２４を介して検出される振動は、それらの感触を非常に敏感に識別することができる。図６は、消費者に異なる感触を与える２種類の異なる製品の２つの加速度曲線を示す。単純比較のために、同じスケールでこれらの信号を表示する。製品１（図６Ａで示されるデータ）である、ドライで滑りの重い感触のあるＦａｉｒ  ＆  ＬｏｖｅｌｙＴＭブランドのクリームは、２面の滑り面の固着／滑り（ｓｔｉｃｋ／ｓｌｉｐ）と相関関係があるいくつかの強い振動ピークを生じる。製品２（図６Ｂで示されるデータ）である、ＰＯＮＤ’ＳＴＭブランドのＡｇｅ−ｄｅｆｙｉｎｇ  Ｃｏｍｐｌｅｘローション（Ｃｈｅｓｅｂｒｏｕｇｈ−Ｐｏｎｄ’ｓ、Ｕ．Ｓ．）は、滑らか感と滑りの重い感じの間の中間的な感触を生み出す。消費者によって好ましい触感は異なり得る。
【実施例４】
【００７９】
この実施例は、加速度計２４を用いた洗い流しタイプ製品に対する使用後感の評価を示す。
【００８０】
図７は、使用後感の２つの加速度曲線を示す。２種類の異なるクレンジング製品を使用するように消費者に依頼した。製品を洗うためにある一定量の水を使用した後、ティッシュで軽く叩いて皮膚を乾かした。ここで示される信号は、乾燥後２分で取った。図７Ａは、皮膚の水なじみを低下（ｈｙｄｒｏｐｈｏｂｉｃ）させ、「ドライ」感を生み出す花王ホワイトＴＭブランドの固形石鹸の使用後感の曲線を示す。図７Ｂは、皮膚の水なじみを良くし、保湿感を生じる、全く異なるクレンジング製品、ＤＯＶＥＴＭブランド固形石鹸の加速度を示す。強い固着／滑り（ｓｔｉｃｋ／ｓｌｉｐ）ピークが観察された。この結果は、保湿剤により皮膚がより粘着性になることを示す。
【実施例５】
【００８１】
本発明は、ヒト皮膚の部分の特性又は状態を客観的に評価するためのものである。毛穴、皺及び光老化などの顔面の特性を評価し得る。本発明のシステム及び方法は、消費者の自己評価のために、又は美容師もしくは店員による評価のために適用できる。
【００８２】
この実施例は、トリートメント前後の毛穴の発生の評価が音響放射システム１０を用いて可能であり、これにより本発明のシステム及び方法の有効性及び有用性が示唆されることを説明する。
【００８３】
音響放射システム１０を用いてＣａｌｖｉｎ  Ｋｌｅｉｎ  Ｃｏｓｍｅｔｉｃｓ  Ｃｏ．，Ｎｅｗ  Ｙｏｒｋから入手可能なＳｈｅｅｒ  ＣｏｖｅｒａｇｅＴＭブランドファンデーションを評価した。良い結果が得られた。ファンデーション塗布後の視覚的に感知される毛穴発生の改善性によく相関したというように、消費者は、音響放射システム尺度の違いを感知した。
【実施例６】
【００８４】
この実施例は、店頭での診断ツールとしての、及び／又は消費者とのコミュニケーションのためのツールとしての、音響放射システム１０及び方法の使用を説明する。
【００８５】
一般に、日本の消費者は、ぬるぬるすると感じる固形石鹸の購入又は使用を嫌がる。新しい技術を基にした新しい固形石鹸を開発し日本の市場に出す。日本の消費者に次のことについて伝えるために音響放射システム１０及び方法を使用する：
（ａ）新しい固形石鹸は触感が変化した；及び、
（ｂ）感触及び最終的な有益性の点で消費者にとって何が異なるか。
【００８６】
逆に、日本に対して新しく処方した製品は現在、アメリカの消費者にとって、不快な「擦り」があると感じられ、不快な「擦り」が最小限に抑えられている固形石鹸を消費者が選択できるようにするために、店頭で利用できる音響放射システム１０を用いて選択が可能となる。
【００８７】
消費者とのコミュニケーションツールとしてこの方法を使用することができる（例えば広告）。
【実施例７】
【００８８】
この実施例は、消費者がその製品を使用し続けるように誘導するために、トリートメント前後の皮膚の状態及びトリートメントしていない皮膚状態における視覚的な改善の有用性を調べるための、音響放射測定システム１０及び方法の使用を説明する。
【００８９】
音響放射測定システム１０を用いて、消費者が自身の顔面皮膚のトリートメント前の状態の測定を行った。
【００９０】
その後、その消費者が約４週間にわたり、Ｃｈｅｓｅｂｒｏｕｇｈ−Ｐｏｎｄ’ｓ、Ｕ．Ｓ．から入手可能なＰＯＮＤ’Ｓ  Ｄｒａｍａｔｉｃ  ＲｅｓｕｌｔｓＴＭブランド製品を塗布した。製品を塗布しない、クリーンな顔面皮膚に対して、別の音響放射測定を行った。この測定から、使用期間にわたる顔面皮膚の皺の発生が顕著に改善されることが示された。
【００９１】
４週間後の改善は視覚的に感知されず、触って感知できないものであったが、音響放射測定から改善は明らかであり、ＰＯＮＤ’Ｓ製品を使用し続けるよう消費者を促した。
【００９２】
本発明の音響放射方法の別の長所は、消費者が使用前のその皮膚の状態を記憶することができないということである。この方法により、消費者は、化粧品の使用前後の差を比較する方法を得る。したがって、音響放射測定は、ある化粧品又は使用計画の長期的な有益性に関して消費者に伝えるための優れたツールである。
【実施例８】
【００９３】
図２で示されるように洗浄剤の使用による結果に対して予想される音響放射信号を印刷し、折り畳み物又はパンフレットに折り、製品も含む箱に入れた。
【実施例９】
【００９４】
この実施例は、消費者の嗜好性を定義するための、音響放射システム１０及び方法の有用性を示す。
【００９５】
フォーカスグループ実験の際に、「理想的な」評価項目の皮膚の使用後感を残す皮膚クレンジング製品を選ぶように１０名の消費者に依頼した。本発明の方法により、本発明音響放射システム１０を使用して、消費者の多数により選択された製品を評価した。音響放射プロファイルを手にすることにより、消費者により好まれるものと匹敵する、他の製品処方物が評価された。
【００９６】
このように、本発明システム及び方法は、消費者の購入意思を生じさせるためのツール、ならびに消費者の嗜好性に適した製品を開発するためのツールとして役立った。
【実施例１０】
【００９７】
この実施例は、臨床尺度の開発及び有効性における、音響放射システム１０及び方法の使用を考察する。
【００９８】
上述の消費者試験において、また、皮膚に残った「ぬるぬる」、「滑らか」又は「きしみ」感について試験する各製品の特徴を述べるよう消費者に依頼した。消費者のぬるぬる、滑らか又はきしみ感に相関する音響放射尺度を開発するために、この消費者データを各製品に対する音響放射信号と相互に関連付けた。この課題の結果から、２つの評価方法が互いに非常によく相関することが示された。したがって、触知性皮膚知覚の評価のための再現性のある臨床尺度を作るための足場として、この音響放射イメージが使用された。
【００９９】
別個に、２名の臨床家が、消費者が述べた触感と、対応する音響放射信号イメージとの間に高い相関性があることを検証した。
【実施例１１】
【０１００】
この実施例は、製品選択の支援における、本発明による音響放射測定の有用性を示す。
【０１０１】
リーブオンタイプ及び洗い流しタイプの化粧品を各個人に合わせて調合するためのベンディングマシンを以って、ＰＯＮＤ’ｓ  Ｉｎｓｔｉｔｕｔｅをスペインに設立している。
【０１０２】
このような製品の要求に応じた迅速な調製は、カスタム製品の長所を有し、使用の直前まで混合せずにおかれるべき不安定な成分を含む組成物に対して特に好都合である。
【０１０３】
この実施例において、美容師からの支援とともに、消費者は、リーブオンタイプの製品（フェースクリーム）に対する個人的嗜好の情報を入力する。さらに、保湿レベル、皮膚の油性など、その消費者の皮膚の状態を調べるために、音響放射測定を行った。
【０１０４】
この自動販売機は、その消費者により入力された嗜好情報を基に、ならびに、その消費者の皮膚状態の音響放射測定を基に、カスタムクリームを作製する。
【実施例１２】
【０１０５】
この実施例は、「粘着性」の触感を測定するための、音響放射システム１０及び方法の有用性を示す。
【０１０６】
消費者は、「粘つく」、「粉っぽい」などとして述べることができる表面に指を押し付け、その表面からその指を上げる。押し付け及び上げる間に皮膚が振動する。加速度を測定し、感触をモニタリングするために使用することができる。
【０１０７】
この実施例の手法は、「粘着性」が非常に重要な触感である、デオドラント製品に対して特に好都合である。
【実施例１３】
【０１０８】
この実施例は、硬い面の清浄度を測定するための、音響放射システム１０及び方法の有用性を示す。この実施例において、皮膚が接触したガラス製品の音響放射を測定した。
【０１０９】
食器洗浄製品を推進するために、この実施例の方法を使用し得る。
【図面の簡単な説明】
【０１１０】
【図１】本発明による音響放射システムの概念図である。
【図２Ａ】図１のシステムを用いて生成された、３種類の異なる濃度のＰＥＧラウリルエーテル硫酸ナトリウム（ＳＬＥＳ）／水  溶液（２Ａ＝１％  ｗ／ｗ；２Ｂ＝０．２％  ｗ／ｗ；及び２Ｃ＝０．０１％  ｗ／ｗ）の音響プロファイルを示す。
【図２Ｂ】図１のシステムを用いて生成された、３種類の異なる濃度のＰＥＧラウリルエーテル硫酸ナトリウム（ＳＬＥＳ）／水  溶液（２Ａ＝１％  ｗ／ｗ；２Ｂ＝０．２％  ｗ／ｗ；及び２Ｃ＝０．０１％  ｗ／ｗ）の音響プロファイルを示す。
【図２Ｃ】図１のシステムを用いて生成された、３種類の異なる濃度のＰＥＧラウリルエーテル硫酸ナトリウム（ＳＬＥＳ）／水  溶液（２Ａ＝１％  ｗ／ｗ；２Ｂ＝０．２％  ｗ／ｗ；及び２Ｃ＝０．０１％  ｗ／ｗ）の音響プロファイルを示す。
【図３】水中聴音器及び加速度計を同時に用いる、図１のシステムにより得られた洗い流しタイプ（クレンジング）製品の音響プロファイルを示す。
【図４Ａ】図３を作成するために使用したものと同じシステムにより得られた２種類の異なるクレンジング製品（製品Ａ及びＢ）の音響プロファイルを示す。４Ａ及び４Ｂは、製品Ａからの音響信号（それぞれ音圧及び加速度）であり、４Ｃ及び４Ｄは、製品Ｂからの音響信号（それぞれ音圧及び加速度）である。
【図４Ｂ】図３を作成するために使用したものと同じシステムにより得られた２種類の異なるクレンジング製品（製品Ａ及びＢ）の音響プロファイルを示す。４Ａ及び４Ｂは、製品Ａからの音響信号（それぞれ音圧及び加速度）であり、４Ｃ及び４Ｄは、製品Ｂからの音響信号（それぞれ音圧及び加速度）である。
【図４Ｃ】図３を作成するために使用したものと同じシステムにより得られた２種類の異なるクレンジング製品（製品Ａ及びＢ）の音響プロファイルを示す。４Ａ及び４Ｂは、製品Ａからの音響信号（それぞれ音圧及び加速度）であり、４Ｃ及び４Ｄは、製品Ｂからの音響信号（それぞれ音圧及び加速度）である。
【図４Ｄ】図３を作成するために使用したものと同じシステムにより得られた２種類の異なるクレンジング製品（製品Ａ及びＢ）の音響プロファイルを示す。４Ａ及び４Ｂは、製品Ａからの音響信号（それぞれ音圧及び加速度）であり、４Ｃ及び４Ｄは、製品Ｂからの音響信号（それぞれ音圧及び加速度）である。
【図５Ａ】図１のシステムを使用して得られた、リーブオンタイプの製品における９分間にわたる擦りの加速度信号を示し、２個の加速度計及び２個のマイクロフォンを使用する。
【図５Ｂ】図１のシステムを使用して得られた、リーブオンタイプの製品における９分間にわたる擦りの加速度信号を示し、２個の加速度計及び２個のマイクロフォンを使用する。
【図５Ｃ】図１のシステムを使用して得られた、リーブオンタイプの製品における９分間にわたる擦りの加速度信号を示し、２個の加速度計及び２個のマイクロフォンを使用する。
【図５Ｄ】図１のシステムを使用して得られた、リーブオンタイプの製品における９分間にわたる擦りの加速度信号を示し、２個の加速度計及び２個のマイクロフォンを使用する。
【図５Ｅ】図１のシステムを使用して得られた、リーブオンタイプの製品における９分間にわたる擦りの加速度信号を示し、２個の加速度計及び２個のマイクロフォンを使用する。
【図５Ｆ】図１のシステムを使用して得られた、リーブオンタイプの製品における９分間にわたる擦りの加速度信号を示し、２個の加速度計及び２個のマイクロフォンを使用する。
【図６Ａ】図５を作成するために使用したものと同じシステムを使用して得られた、ある一定時間の適用にわたる２種類の異なる製品の加速度信号を示す。
【図６Ｂ】図５を作成するために使用したものと同じシステムを使用して得られた、ある一定時間の適用にわたる２種類の異なる製品の加速度信号を示す。
【図７Ａ】図７は、タオルドライ後に行った測定による、２種類のクレンジング製品の使用後感の加速度信号を示し、図７Ａは、強いクレンジング製品を使用した後のドライ感を示し、図７Ｂは、穏やかなクレンジング製品を使用した後の保湿感を示す。
【図７Ｂ】図７は、タオルドライ後に行った測定による、２種類のクレンジング製品の使用後感の加速度信号を示し、図７Ａは、強いクレンジング製品を使用した後のドライ感を示し、図７Ｂは、穏やかなクレンジング製品を使用した後の保湿感を示す。
【図１】
2007512864.tif 000002
【図２Ａ】
2007512864.tif 000003
【図２Ｂ】
2007512864.tif 000004
【図２Ｃ】
2007512864.tif 000005
【図３】
2007512864.tif 000006
【図４Ａ】
2007512864.tif 000007
【図４Ｂ】
2007512864.tif 000008
【図４Ｃ】
2007512864.tif 000009
【図４Ｄ】
2007512864.tif 000010
【図５Ａ】
2007512864.tif 000011
【図５Ｂ】
2007512864.tif 000012
【図５Ｃ】
2007512864.tif 000013
【図５Ｄ】
2007512864.tif 000014
【図５Ｅ】
2007512864.tif 000015
【図５Ｆ】
2007512864.tif 000016
【図６Ａ】
2007512864.tif 000017
【図６Ｂ】
2007512864.tif 000018
【図７Ａ】
2007512864.tif 000019
【図７Ｂ】
2007512864.tif 000020
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
（Ａ）皮膚／皮膚接触によって生じる音響放射信号を検出するための手段、
（Ｂ）前記放射信号を回収し、格納し、表示するための手段、
（Ｃ）前記放射信号を前記皮膚の特性と相関させるための手段、を含む、美容スキンケア及び／又はクレンジング製品の有効性を評価するための臨床用具として使用するための、音響放射測定システム。
【請求項２】
前記放射信号を表示するための前記手段が、インターネット、カメラ、携帯端末、携帯電話、カメラ付き携帯電話及び、テレビ、雑誌、パンフレット、ポスター、チラシ及びビラからなる群から選択される広告用材料及び宣伝用資料からなる群から選択される媒体を含む、請求項１に記載の音響放射測定システム。
【請求項３】
前記皮膚の前記特性が、毛穴、皺、光老化、肌のきめ又はそれらの組み合わせである、請求項１又は請求項２に記載の音響放射測定システム。
【請求項４】
１又は複数の美容スキンケア及び／又はクレンジング製品の有効性を評価するための、請求項１から３に記載の音響放射測定システムの使用。
【請求項５】
使用が、消費者、美容師、プロのアドバイザー又はそれらの組み合わせによるものである、請求項４に記載の使用。
【請求項６】
（Ａ）請求項１から３のいずれか１項に記載のシステムを提供し、
（Ｂ）ヒト皮膚の部分に対する音響放射データを生成させ、
（Ｃ）個人の集団に対する皮膚特性の分布を定義するために該データを分析する、
個人の集団に対してヒトの皮膚の部分における皮膚特性の分布を定義する方法。
【請求項７】
（Ａ）請求項６に記載の方法により個人の集団に対するヒト皮膚の部分での皮膚特性の分布を定義すること、
（Ｂ）少なくとも１人に対してヒト皮膚の部分に対する音響放射データを生成させること、
（Ｃ）前記個人の集団に対する皮膚特性の分布に関して、少なくとも１人の皮膚特性を評価するために該データを分析すること、
を含む、個人の集団に対する皮膚特性の分布に関して、少なくとも１人のヒト皮膚の部分における皮膚特性を評価する方法。
【請求項８】
（ｉ）少なくとも１つの皮膚特性の発生を減少させるための少なくとも１つの化粧用組成物、および
（ｉｉ）該化粧用組成物に関連する音響放射システム、
を含み、該音響放射システムが、皮膚特性の現在の発生又は該化粧用組成物の使用による前記皮膚特性の発生減少の進捗状況を評価するための手段を有する、化粧品システム。
【請求項９】
化粧用組成物が容器内にあり、音響放射システム及び該化粧用組成物を保持する該容器が、紙箱内に保持される、請求項８に記載の化粧品システム。
【請求項１０】
前記皮膚特性が、毛穴、皺、光老化又は肌のきめからなる群から選択される、請求項８又は請求項９に記載の化粧品システム。
【請求項１１】
前記音響放射システムが、前記皮膚特性の少なくとも２つの異なる状態の兆候に対する媒体を含み、それにより消費者又は臨床家が化粧品の塗布及び／又は洗い流しに起因する前記皮膚特性の状態を識別できるようになる、請求項８から１０のいずれか１項に記載の化粧品システム。
【請求項１２】
媒体が、インターネット、カメラ、携帯端末、携帯電話及び、テレビ、雑誌、パンフレット、ポスター、チラシ及びビラからなる群から選択される広告用材料及び宣伝用資料からなる群から選択される、請求項１１に記載の化粧品システム。
【請求項１３】
前記皮膚特性の前記識別された状態に基づいて、製品使用計画を消費者が順守することを促進するための、請求項１１又は請求項１２に記載の化粧品システムの使用。
【請求項１４】
前記皮膚特性の前記識別された状態に基づいて、化粧品選択を促進するための、請求項１１又は請求項１２に記載の化粧品システムの使用。
【請求項１５】
（Ａ）請求項８から請求項１２のいずれか１項に記載の化粧品システムを提供すること、
（Ｂ）該化粧品を皮膚の部分に塗布すること、
（Ｃ）皮膚の該部分に対する音響放射データを生成させること、
（Ｄ）前記皮膚特性を評価するために該データを解析すること、および
（Ｅ）将来において段階（Ｃ）及び（Ｄ）を繰り返し、次いで該皮膚の第１回目及び第２回目の評価から得られたデータを比較すること、を含む、化粧品の有効性を評価するための方法。
【請求項１６】
前記評価が、消費者による自己評価であるか、又は臨床家、美容師もしくは店員による評価である、請求項１５に記載の方法。
【手続補正２】
【補正対象書類名】明細書
【補正対象項目名】０００８
【補正方法】変更
【補正の内容】
【０００８】
ここに、出願者らは、音響放射システム及び皮膚への製品の塗布前、塗布中、塗布後及び／又は皮膚からの製品の洗い流し前、洗い流し中、洗い流し後の、皮膚状態の客観的評価のための方法を開発した。本音響放射測定システムは、
（Ａ）皮膚からの皮膚／皮膚接触によって生じる音響放射信号を検出するための手段と、
（Ｂ）該放射信号を回収し、格納し、表示するための手段と、
（Ｃ）該放射信号を該皮膚の特性と相関させるための手段と、を含有する。
【手続補正３】
【補正対象書類名】明細書
【補正対象項目名】００１３
【補正方法】変更
【補正の内容】
【００１３】
化粧品システムは、（ｉ）少なくとも１つの皮膚特性の発生を減少させるための少なくとも１つの化粧用組成物と、
（ｉｉ）該化粧用組成物に関連する音響放射システムと、
を含んで提供され、該音響放射システムは、該皮膚特性の現在の発生又は該化粧用組成物の使用に伴う皮膚特性の発生の減少における進捗状況を評価するための手段を有する。
【国際調査報告】
2007512864.tif 000021
2007512864.tif 000022
2007512864.tif 000023